(57)【特許請求の範囲】
【請求項１】
内部に多数のサイクロンが配設され、該各サイクロンの旋回翼により上流側から流れてくる排ガスを旋回流とし、遠心力によって排ガス中からダストを分離してホッパ内に落下させると共に、ダストが分離除去された清浄ガスをパイプから下流側へ流す集塵機を、水平方向へ屈曲するダクトの下流側に設け、該集塵機を、仕切板によりガス通過面積の異なる複数の室に仕切り、ガス流量に応じてダンパ装置の開閉により所望の室へガスを導入するよう構成した集塵装置において、
各室の出口側にダンパ装置を配設し、ダンパ装置が開かれる頻度が高く且つガス通過面積の大きい室を、屈曲するダクトの外側に位置するよう配設すると共に、ダンパ装置が単独で開かれる頻度が低く且つガス通過面積の小さい室を、屈曲するダクトの内側に位置するよう配設したことを特徴とする集塵装置。
【発明の詳細な説明】
【０００１】
【発明の属する技術分野】
本発明は、集塵装置に関するものである。
【０００２】
【従来の技術】
一般に、石炭焚ボイラ等のように、排ガス中にフライアッシュ等のダストが含まれるものの場合、図２及び図３に示される如く、排ガスのダクト１途中に集塵機２が設けられる。
【０００３】
前記集塵機２は、内部に多数のサイクロン３が配設され、該各サイクロン３の旋回翼４により上流側から流れてくる排ガスを旋回流とし、遠心力によって排ガス中からダストを分離してホッパ５内に落下させると共に、ダストが分離除去された清浄ガスをパイプ６から下流側へ流すようになっている。
【０００４】
又、前記集塵機２は、その容量（排ガスの通過面積）の比がおよそ２：１となるよう、仕切板７によって複数（二個）の室２ａ，２ｂに仕切られており、それに対応させて集塵機２の上流側のダクト１と下流側のダクト１にもそれぞれ仕切板８，９が設けられ、前記各室２ａ，２ｂの出口側にはそれぞれ、ダンパ装置１０ａ，１０ｂが配設されている。
【０００５】
前記ダンパ装置１０ａ，１０ｂは、ダクト１に接続されるダンパハウジング１１内に、ダンパ羽根１２を軸１３を中心として図示していない駆動装置により回動可能に配設してなる構成を有しており、全開状態と全閉状態とに切り換えられるようになっている。
【０００６】
通常のボイラの場合、ボイラ負荷が増加すると排ガス流量も増加し、又、ボイラ負荷が減少すると排ガス流量も減少するため、図２及び図３に示す例においては、ボイラ負荷の変化、即ち排ガス流量の変化に応じて、両方のダンパ装置１０ａ，１０ｂを全開として両方の室２ａ，２ｂに排ガスを流通させる場合と、容量の小さい側のダンパ装置１０ｂを全閉とし且つ容量の大きい側のダンパ装置１０ａを全開として容量の大きい側の室２ａのみに排ガスを流通させる場合と、容量の小さい側のダンパ装置１０ｂを全開とし且つ容量の大きい側のダンパ装置１０ａを全閉として容量の小さい側の室２ｂのみに排ガスを流通させる場合というように、三段階に切り換えを行うことにより、集塵機２、即ち各サイクロン３へ流入する排ガスの流速を略一定に保持し、ダストの捕集効率を確保するようになっている。
【０００７】
尚、前述の如く、容量の小さい側のダンパ装置１０ｂを全開とし且つ容量の大きい側のダンパ装置１０ａを全閉として容量の小さい側の室２ｂのみに排ガスを流通させるのは、ボイラ負荷が最低となって排ガス流量が極端に減少した場合であり、このような最低負荷の状態は比較的短時間であって長くは継続せず、頻度としても低く、従って、ダンパ装置１０ｂが単独で開かれるのはごく稀であると言える。
【０００８】
又、図２及び図３の例ではダンパ装置１０ａ，１０ｂが集塵機２の出口側に配設される例を示したが、入口側に配設される場合もある。
【０００９】
【発明が解決しようとする課題】
図３に示されるように、水平方向へ屈曲するダクト１の場合、流通する排ガスに作用する遠心力により、図３中仮想線で示される如く、ダクト１の屈曲部の外側にダストがある程度堆積することが知られているが、図２及び図３に示される如く、水平方向へ屈曲するダクト１の下流側に、仕切板７により容量（ガス通過面積）の異なる複数（二個）の室２ａ，２ｂに仕切られた集塵機２を配設し、しかも、該集塵機２のガス通過面積の小さい室２ｂを、前記水平方向へ屈曲するダクト１の外側に配設した場合、前記集塵機２のガス通過面積の小さい室２ｂへ通じるダクト１及び集塵機２が、ダンパ装置１０ｂ全閉から全開にした時、ガス通過量当たりのダストが堆積分の一部も加わり多くなって前記ダストにより閉塞する可能性があった。
【００１０】
又、前述の如くダンパ装置１０ｂを全閉とし且つダンパ装置１０ａを全開として室２ａのみに排ガスを流通させる場合であっても、遠心力によって屈曲するダクト１の外側にダストが入り込み、室２ｂ内のサイクロン３の入口部にダストが堆積し、長期間に亘る運転の間に、サイクロン３が閉塞する虞れがある一方、前記ダンパ装置１０ｂを全閉としても、僅かなリークにより、ダンパ装置１０ｂの底部にダストが堆積し、該ダンパ装置１０ｂの開閉が行えなくなる虞れがあった。
【００１１】
尚、ダンパ装置１０ａ，１０ｂが集塵機２の入口側に配設される場合には、ダンパ装置１０ａ，１０ｂの底部へのダストの堆積が更に促進される形となり、ダンパ装置１０ａ，１０ｂの開閉に支障を来すことが多かった。
【００１２】
本発明は、斯かる実情に鑑み、ダクト内を流れるガス中に含まれるダストの各部への堆積を最小限に抑制し得、且つ集塵機の運転並びにダンパ装置の開閉操作に支障を来すことを防止し得る集塵装置を提供しようとするものである。
【００１３】
【課題を解決するための手段】
本発明は、内部に多数のサイクロンが配設され、該各サイクロンの旋回翼により上流側から流れてくる排ガスを旋回流とし、遠心力によって排ガス中からダストを分離してホッパ内に落下させると共に、ダストが分離除去された清浄ガスをパイプから下流側へ流す集塵機を、水平方向へ屈曲するダクトの下流側に設け、該集塵機を、仕切板によりガス通過面積の異なる複数の室に仕切り、ガス流量に応じてダンパ装置の開閉により所望の室へガスを導入するよう構成した集塵装置において、
各室の出口側にダンパ装置を配設し、ダンパ装置が開かれる頻度が高く且つガス通過面積の大きい室を、屈曲するダクトの外側に位置するよう配設すると共に、ダンパ装置が単独で開かれる頻度が低く且つガス通過面積の小さい室を、屈曲するダクトの内側に位置するよう配設したことを特徴とする集塵装置にかかるものである。
【００１４】
上記手段によれば、以下のような作用が得られる。
【００１５】
各室の出口側にダンパ装置を配設し、ダンパ装置が開かれる頻度が高く且つガス通過面積の大きい室を、屈曲するダクトの外側に位置するよう配設すると共に、ダンパ装置が単独で開かれる頻度が低く且つガス通過面積の小さい室を、屈曲するダクトの内側に位置するよう配設すると、遠心力によりダストが多く含まれる形となるダクトの外側には、ガスがほとんどの場合において流通することとなり、ガスがある程度の流速をもって、ダクトの外側に位置する集塵機の室内を経てダンパ装置を通過するため、該ダクトの外側に位置する室内のサイクロンの入口部にダストが堆積しにくくなり、長期間に亘る運転の間においても、サイクロンが閉塞する心配がなくなると共に、前記ダクトの外側に位置するダンパ装置の底部にもダストが堆積しにくくなり、該ダンパ装置の開閉が常に円滑に行われる形となる。
【００１６】
又、屈曲するダクトの内側に位置するダンパ装置を閉じた場合、該ダクトの内側に位置する室とダンパ装置にはガスが流通しなくなるが、ガス中に含まれるダストは、遠心力によって屈曲するダクトの外側に大部分が流れ込んで行くため、ダクトの内側に位置する集塵機の室内のサイクロンの入口部やダンパ装置の底部にダストが堆積する心配はほとんどない。
【００１７】
【発明の実施の形態】
以下、本発明の実施の形態を図示例と共に説明する。
【００１８】
図１は本発明を実施する形態の一例であって、図中、図２及び図３と同一の符号を付した部分は同一物を表わしており、基本的な構成は図２及び図３に示す従来のものと同様であるが、本図示例の特徴とするところは、図１に示す如く、各室２ａ，２ｂの出口側にダンパ装置１０ａ，１０ｂを配設し、ダンパ装置１０ａが開かれる頻度が高く且つガス通過面積の大きい室２ａを、屈曲するダクト１の外側に位置するよう配設すると共に、ダンパ装置１０ｂが単独で開かれる頻度が低く且つガス通過面積の小さい室２ｂを、屈曲するダクト１の内側に位置するよう配設した点にある。
【００１９】
前述の如く、各室２ａ，２ｂの出口側にダンパ装置１０ａ，１０ｂを配設し、ダンパ装置１０ａが開かれる頻度が高く且つガス通過面積の大きい室２ａを、屈曲するダクト１の外側に位置するよう配設すると共に、ダンパ装置１０ｂが単独で開かれる頻度が低く且つガス通過面積の小さい室２ｂを、屈曲するダクト１の内側に位置するよう配設すると、遠心力によりダストが多く含まれる形となるダクト１の外側には、排ガスがほとんどの場合において流通することとなり、排ガスがある程度の流速をもって集塵機２の室２ａ内を経てダンパ装置１０ａを通過するため、室２ａ内のサイクロン３の入口部にダストが堆積しにくくなり、長期間に亘る運転の間においても、サイクロン３が閉塞する心配がなくなると共に、前記ダンパ装置１０ａの底部にもダストが堆積しにくくなり、該ダンパ装置１０ｂの開閉が常に円滑に行われる形となる。
【００２０】
又、ダンパ装置１０ｂを閉じた場合、室２ｂとダンパ装置１０ｂには排ガスが流通しなくなるが、集塵機２の室２ｂとダンパ装置１０ｂは屈曲するダクト１の内側に位置するよう配設されており、排ガス中に含まれるダストは、遠心力によって屈曲するダクト１の外側に大部分が流れ込んで行くため、室２ｂ内のサイクロン３の入口部やダンパ装置１０ｂの底部にダストが堆積する心配はほとんどない。
【００２１】
尚、ボイラ負荷が最低となって排ガス流量が極端に減少した場合には、容量の小さい側のダンパ装置１０ｂを全開とし且つ容量の大きい側のダンパ装置１０ａを全閉として容量の小さい側の室２ｂのみに排ガスを流通させることとなるが、一般に、このような最低負荷の状態は比較的短時間であって長くは継続せず、頻度としても低いため、集塵機２の室２ａ並びにダンパ装置１０ａに排ガスが全く流通しなくなることはごく稀であり、室２ａ内のサイクロン３の入口部やダンパ装置１０ａの底部にダストが堆積する心配はほとんどない。
【００２２】
こうして、ダクト１内を流れる排ガス中に含まれるダストの各部への堆積を最小限に抑制し得、且つ集塵機２の運転並びにダンパ装置１０ａ，１０ｂの開閉操作に支障を来すことを防止し得る。
【００２３】
尚、本発明の集塵装置は、上述の図示例にのみ限定されるものではなく、本発明の要旨を逸脱しない範囲内において種々変更を加え得ることは勿論である。
【００２４】
【発明の効果】
以上、説明したように本発明の集塵装置によれば、ダクト内を流れるガス中に含まれるダストの各部への堆積を最小限に抑制し得、且つ集塵機の運転並びにダンパ装置の開閉操作に支障を来すことを防止し得るという優れた効果を奏し得る。
【図面の簡単な説明】
【図１】本発明を実施する形態の一例の平面図である。
【図２】従来例の側断面図である。
【図３】図２のＩＩＩ−ＩＩＩ矢視図である。
【符号の説明】
１          ダクト
２          集塵機
２ａ        室
２ｂ        室
３          サイクロン
７          仕切板
１０ａ        ダンパ装置
１０ｂ        ダンパ装置
【図１】
0004099833.tif 000002
【図２】
0004099833.tif 000003
【図３】
0004099833.tif 000004